(57)【要約】【課題】集草容器がハイダンプ式、及びローダンプ式、の何れの仕様であっても、比較的簡単な構造でロプスを備えられるようにする。【解決手段】走行機体の後部に、ロプスを取付支持するためのロプスベース６を備え、ロプスベース６に、ハイダンプ仕様の集草容器を取り付けるハイダンプ用ロプスと、ローダンプ仕様の集草容器を取り付けるローダンプ用ロプスと、のいずれをも、択一的に脱着可能なロプス取付部６１ａ，６０ｃ，６０ｄが形成されている。【選択図】図７
2020058288.tif 000002
【特許請求の範囲】
【請求項１】
走行機体の下部に備えたモアー装置と、
前記走行機体の後端部に立設されたロプスと、
前記ロプスに対して脱着可能に支持される集草容器と、を備えた乗用型草刈機であって、
前記走行機体の後部に、前記ロプスを取付支持するためのロプスベースを備え、
前記ロプスベースに、ハイダンプ仕様の集草容器を取り付けるハイダンプ用ロプスと、ローダンプ仕様の集草容器を取り付けるローダンプ用ロプスと、のいずれをも、択一的に脱着可能なロプス取付部が形成されている乗用型草刈機。
【請求項２】
前記ハイダンプ用ロプスには、前記ロプスベースへの連結部が備えられるとともに、ハイダンプ仕様の集草容器を支持するリンクの取付部と、昇降用シリンダの支持部と、が備えられている請求項１記載の乗用型草刈機。
【請求項３】
前記ローダンプ用ロプスには、当該ロプスの下端部で前記ロプスベースへの連結部が備えられるとともに、ローダンプ用の集草容器を支持する支持枠が備えられ、この支持枠に、前記ロプスの下端部における前記ロプスベースへの連結部よりも機体左右方向での内方側位置で、前記ロプスベースへ連結可能な別の連結部が備えられている請求項１記載の乗用型草刈機。
【発明の詳細な説明】
【技術分野】
【０００１】
本発明は、モアー装置を備える走行機体にロプス、及び脱着可能な集草容器を備えた乗用型草刈機に関する。
【背景技術】
【０００２】
乗用型草刈機では、集草容器の排出仕様として、ハイダンプ式の集草容器を用いる仕様と、ローダンプ式の集草容器を用いる仕様と、がある。つまり、ハイダンプ式では、集草容器の全体を高く持ち上げてから排出姿勢に姿勢変更して、刈草を集草容器の後方側の開閉口から放出するように構成されている。ローダンプ式では、集草容器の全体を持ち上げるのではなく、集草容器の前端側上部を回動支点にして後部側を持ち上げ、前下がりの傾姿勢に傾けることにより、集草容器の前方側の取り入れ口から排出するように構成されている。
この種の乗用型草刈機において、機体フレームの後部に備えたロプスとして、ローダンプ式の仕様で用いる集草容器の前部を支持する支持フレームと、その支持フレームの上部に一体に設けたロプス部分とを用いて、ハイダンプ式、及びローダンプ式、の何れの仕様でもロプスを備えられるようにした技術が存在する（特許文献１参照）。
【先行技術文献】
【特許文献】
【０００３】
【特許文献１】特開２０１６−２２０５５２公報（段落番号「００２７」、「００２９」、図１、図１４参照）
【発明の概要】
【発明が解決しようとする課題】
【０００４】
上記のように、ハイダンプ式、及びローダンプ式、の何れの仕様でもロプスを備えることにより、ロプスによる搭乗者の保護を図り得る点で有用である。しかしながら、この構造では、ハイダンプ式、及びローダンプ式、の何れの仕様でも集草容器の排出姿勢への姿勢変更を行えるようにするために、ロプス自体に対して、集草容器の姿勢変更関連機器を取り付けるようにしているので、次のような問題がある。
このように構成すると、ロプスに作用する集草容器側の重量の作用位置が、ハイダンプ式の場合とローダンプ式の場合とで、前後に大きく異なる傾向がある。これにも関わらず一定の位置のロプスで支持するため、ロプス自体の強度や取付強度を、予測される最大値に設定しておく必要がある。
つまり、ローダンプ式の仕様では、ロプスに作用する集草容器側の重量はそれほど大きなものではないのに関わらず、強大なロプスを用いることになるので、このローダンプ式の集草容器を用いての作業を行う場合には、オーバースペックのロプスが採用されている状態であり、その分、機体重量も大きくなる傾向がある。また、ロプス自体の構造も複雑化してコスト増に繋がる可能性があり、これらの点で改善の余地がある。
【０００５】
本発明は、集草容器がハイダンプ式、及びローダンプ式、の何れの仕様であっても、比較的簡単な構造でロプスを備えられるようにしようとするものである。
【課題を解決するための手段】
【０００６】
本発明は、走行機体の下部に備えたモアー装置と、前記走行機体の後端部に立設されたロプスと、前記ロプスに対して脱着可能に支持される集草容器と、を備えた乗用型草刈機において、前記走行機体の後部に、前記ロプスを取付支持するためのロプスベースを備え、前記ロプスベースに、ハイダンプ仕様の集草容器を取り付けるハイダンプ用ロプスと、ローダンプ仕様の集草容器を取り付けるローダンプ用ロプスと、のいずれをも、択一的に脱着可能なロプス取付部が形成されている、という特徴構成を有している。
【０００７】
本発明によれば、ロプスに、ハイダンプ式仕様の構造と、ローダンプ式仕様の構造と、の両者に対する取付構造を採用するのではなく、ロプスを取り付けるために、走行機体の後部に備えたロプスベースに、ハイダンプ用ロプスと、ローダンプ用ロプスと、のいずれをも、択一的に脱着可能なロプス取付部を備えたものである。
これにより、乗用型草刈機にハイダンプ式仕様の集草容器を装備する場合には、ハイダンプ仕様のロプスをロプス取付部に装着し、ローダンプ式仕様の集草容器を装備する場合には、ローダンプ仕様のロプスをロプス取付部に装着することができる。
したがって、ロプスベースに取り付けられるロプス自体に、ハイダンプ式仕様とローダンプ式仕様の両仕様の集草容器を取付可能な機能を備えさせる必要がなく、ロプスとしては簡素な構造を採用し易い。そして、もともと強度メンバーであるロプスベースに、各仕様の集草容器に対応するロプスを各別に備えさせられるようにすることによって、各別な補強構造の付加などを要することなく、簡単な構造で両仕様の兼用化を図ることができる。
これにより、単一構造のロプスベースを備えた単一機種を採用しながらも、ハイダンプ式仕様とローダンプ式仕様の両仕様の集草容器を、択一的に取り付け可能な機能を備えさせることができる。
【０００８】
上記構成において、前記ハイダンプ用ロプスには、前記ロプスベースへの連結部が備えられるとともに、ハイダンプ仕様の集草容器を支持するリンクの取付部と、昇降用シリンダの支持部と、が備えられていると好適である。
【０００９】
本構成によれば、ハイダンプ用ロプスをロプスベースへ連結するための連結部や、昇降用シリンダの支持部などを、ロプスベース側にではなく、ハイダンプ用ロプス側に設けたので、ロプスベース自体の構造を簡略化し易い。
【００１０】
上記構成において、前記ローダンプ用ロプスには、当該ロプスの下端部で前記ロプスベースへの連結部が備えられるとともに、ローダンプ用の集草容器を支持する支持枠が備えられ、この支持枠に、前記ロプスの下端部における前記ロプスベースへの連結部よりも機体左右方向での内方側位置で、前記ロプスベースへ連結可能な別の連結部が備えられていると好適である。
【００１１】
本構成によれば、ローダンプ用の集草容器を支持する支持枠に、ロプスベースへの連結部よりも機体左右方向での内方側位置で、ロプスベースへ連結可能が別の連結部を設けたので、ロプスベースに対する支持枠の取付強度を向上し得る。また、このような別の連結部をロプスベース自体に設ける場合に比べて、ロプスベースを簡略化できる。
【図面の簡単な説明】
【００１２】
【図１】ハイダンプ式の集草装置を備えた場合の乗用型草刈機を示す全体側面図である。
【図２】ハイダンプ式の集草装置を備えた場合の乗用型草刈機を示す全体平面図である。
【図３】ローダンプ式の集草装置を備えた場合の乗用型草刈機を示す全体側面図である。
【図４】ローダンプ式の集草装置を備えた場合の乗用型草刈機を示す全体平面図である。
【図５】機体フレームとロプスベースの取り付け状態を示す平面図である。
【図６】機体フレームとロプスベースの取り付け状態を示す側面図である。
【図７】機体フレームとロプスベースを示す分解斜視図である。
【図８】ロプスベースにハイダンプ用のロプスを取り付ける場合を示す分解斜視図である。
【図９】ハイダンプ用のロプスに対する集草装置の取付構造を示す側面視での説明図である。
【図１０】ロプスベースとローダンプ用のロプスと集草装置とを示す分解斜視図である。
【図１１】ロプスベースとローダンプ用の集草装置の取付構造を示す分解斜視図である。
【図１２】ローダンプ用のロプスに対する集草装置の取付構造を示す側面視での説明図である。
【図１３】ローダンプ用のロプスに対する集草装置の取付構造を示す側面視での説明図である。
【図１４】集草容器の底面を示す分解斜視図である。
【図１５】集草容器の底面における補強フレームの構造を示す断面図である。
【発明を実施するための形態】
【００１３】
以下、本発明の実施の形態を図面の記載に基づいて説明する。
尚、本実施形態での説明における前後方向及び左右方向は、特段の説明がない限り、次のように記載している。つまり、本発明を適用した乗用型草刈機の作業走行時における前進側の進行方向（図１及び図３における矢印Ｆ参照）が「前」、後進側への進行方向（図１及び図３における矢印Ｂ参照）が「後」、その前後方向での前向き姿勢を基準としての右側に相当する方向（図２及び図４における矢印Ｒ参照）が「右」、同様に左側に相当する方向（図２及び図４における矢印Ｌ参照）が「左」である。
【００１４】
〔乗用型草刈機の全体構成〕
図１及び３には作業機の一例である乗用型草刈機の全体側面が示されている。この乗用型草刈機は、走行機体１における機体フレーム１０の前側に左右一対の操向操作自在な前輪１１，１１を備え、後側に左右一対の駆動自在な後輪１２，１２を備えて自走するよう構成されている。
機体フレーム１０の下方で、前後方向における前輪１１と後輪１２の間に、リヤディスチャージ型式のモアー装置４が昇降操作可能に吊り下げ装着されている。その走行機体１の後方側に、モアー装置４で刈り取られた刈草を収容する集草装置５が設けられている。
図１及び図２に示す乗用型草刈機が、ハイダンプ式の集草装置５を装備させたハイダンプ型式の乗用型草刈機であり、図３及び図４に示す乗用型草刈機が、ローダンプ式の集草装置５を装備させたローダンプ型式の乗用型草刈機である。集草装置５を装備させる走行機体１としては、ハイダンプ型式の場合も、ローダンプ型式の場合も、同一の走行機体１が用いられている。
【００１５】
図１乃至図４に示すように、走行機体１の機体フレーム１０上には、その前部に原動部２が設けられ、原動部２の後部側に搭乗運転部３が設けられている。
原動部２では、エンジン２０が、エンジンボンネット２１に内装された状態で機体フレーム１０に搭載されている。エンジン２０の後方側から取り出された動力が主伝動軸２２を介して後方位置のミッションケース２３に入力され、ミッションケース２３内で変速された動力が後輪１２の駆動系等へ出力される。
【００１６】
エンジン２０の前方側からは、作業用の動力が取り出し可能に構成されている。つまり、エンジン２０の前側に、ベルト伝動機構によって構成された動力取り出し機構２５が設けられ、この動力取り出し機構２５に備えたＰＴＯ軸２６を介して、エンジン２０の動力がモアー装置４の駆動部に伝達されている。
【００１７】
機体フレーム１０の前部には、機体前部の保護部材となるガードフレーム１０Ａが設けられている。
このガードフレーム１０Ａには、複数個のバランスウェイトを装着可能な、バランスウェイト取付部１４が、設けられている。
【００１８】
原動部２の後方側における搭乗運転部３には、エンジンボンネット２１の後方側に連なる操縦パネル３０、及びステアリングホイール３１等を備えた操縦部３Ａが設けられている。そして、操縦部３Ａの後方側には、足元に位置する搭乗ステップ３２の上側に運転座席３３が設置されている。その運転座席３３の後部箇所に、図１，２では、ハイダンプ用ロプス３４が立設され、図３，４では、ローダンプ用ロプス３５が立設されている。
これらのハイダンプ用のロプス３４、及びローダンプ用のロプス３５は、機体フレーム１０の後端部に取り付けられたロプスベース６に装着されている。そのロプスベース６、及びロプスベース６に装着されるハイダンプ用ロプス３４、及びローダンプ用ロプス３５については後述する。
【００１９】
〔モアー装置〕
モアー装置４は、前リンク１３ａ及び後リンク１３ｂの対を左右両側に備えたリンク機構１３を介して、機体フレーム１０に対して昇降可能に吊り下げ支持されたブレードハウジング４０を備えている。
リンク機構１３のうち、前リンク１３ａの上端部には、モアー昇降シリンダ４３が連結されている。このモアー昇降シリンダ４３の伸縮作動に伴ってブレードハウジング４０の機体フレーム１０に対する上下高さ位置を変更することができる。
【００２０】
ブレードハウジング４０の上部に、ＰＴＯ軸２６から伝達される動力が入力される駆動部４Ａが設けられている。この駆動部４Ａ内には、図示はしないが、ＰＴＯ軸２６から伝達された動力を、左右の回転ブレード４１，４１へ分岐伝達するためのギヤ連動機構が内装されている。
【００２１】
ブレードハウジング４０内には、左右一対の回転ブレード４１，４１が配設されている。各回転ブレード４１は、上下軸心回りに回転し、その回転軌跡の一部が互いに重複した状態で、等速回転駆動されることにより、草類の刈り取りを行うとともに、その回転運動で生起される搬送風によって、ブレードハウジング４０の後部に形成された排出口４２から刈草を後方へ向けて排出するように構成されている。
【００２２】
〔ハイダンプ型式の集草装置に関して〕
ハイダンプ式の集草装置５を備える乗用型草刈機では、図１，２、及び図８，９に示すハイダンプ用ロプス３４を備えている。
このハイダンプ用ロプス３４は前後方向視で門形に形成され、機体フレーム１０の後端部に一体に備えた左右一対のロプスベース６に取り付けられている。このロプスベース６は、機体フレーム１０に対して面接触するように板状に形成されている板状ベース部６０と、その板状ベース部６０から、板状ベース部６０の横外方側へ向けて延出された角筒状の横張出し部６１と、を備えている。
【００２３】
ハイダンプ用ロプス３４は、ロプスベース６のうち、横張出し部６１の延出端部に対して、左右両側における柱状脚部３４ａ，３４ａの下端部が連結固定されている。
左右両側の柱状脚部３４ａ，３４ａは、その中間部に相当する高さ位置で左右の柱状脚部３４ａ，３４ａ同士を連結するように設けられた中間連結材３４ｃで、上下方向での中間部同士が一体的に連結固定されている。そして、中間連結材３４ｃが、図８に示すように、連結ブラケット３６を介して左右の板状ベース部６０の上部に連結されている。これによって、ハイダンプ用ロプス３４は、下端部と中間部がロプスベース６に支持された状態となる。
左右の柱状脚部３４ａ，３４ａの上端部は門形の上部枠３４ｂで連結され、運転座席３３の上方側を覆う状態に設けられている。
【００２４】
ハイダンプ式の集草装置５は、図１及び図９に示されるように、刈草を収容するハイダンプ用の集草容器５０Ｈと、その集草容器５０Ｈを走行機体１に対して昇降作動及び刈草排出作動が可能であるように操作する昇降駆動機構５１とを備えている。
集草容器５０Ｈは、モアー装置４側から搬送ダクト（図示せず）を介して供給される刈草を受け入れる受入口（図示せず）を前端側に備え、後端側に排出用の排出口５０ａと、その排出口５０ａを覆う開閉蓋５０ｂとを備えている。
【００２５】
昇降駆動機構５１は、走行機体１の後方側に設けられたロプス３４に対して集草容器５０Ｈを連結する昇降リンク５２と、その昇降リンク５２をロプス３４に対して昇降作動させるリフトシリンダ５３（昇降用シリンダに相当する）と、昇降リンク５２に対する集草容器５０の姿勢を、水平に近い回収姿勢の状態から後下がりの後傾姿勢に変更して、集草容器５０Ｈの開閉蓋５０ｂを開閉作動させるためのダンプシリンダ５４とを備えている。
【００２６】
昇降リンク５２は、左右一対のアッパーリンク５２ａと、左右一対のロアーリンク５２ｂとを備え、各アッパーリンク５２ａとロアーリンク５２ｂの前端側がロプス３４の上部に着脱可能に連結され、後部側が集草容器５０Ｈの後端側近くの下部に連結されている。油圧シリンダで構成されているリフトシリンダ５３の上端部はロアーリンク５２ｂに対して連結され、下端部はロプス３４の下端部に備えた支持部３４ｄに揺動可能に支持されている。そして、リフトシリンダ５３の伸縮作動によって、昇降リンク５２が揺動し、集草容器５０Ｈの昇降作動が行われる。
【００２７】
油圧シリンダで構成されたダンプシリンダ５４は、集草容器５０Ｈの後端側の下方に配置されている。このダンプシリンダ５４の伸縮作動によって、集草容器５０をひっくり返すように後傾させた排出姿勢と、水平に近い状態の回収姿勢と、に切り換え操作することが可能であるように、ダンプシリンダ５４の一端部を周知のダンプ操作機構（図示せず）に連結させてある。
上記のリフトシリンダ５３及びダンプシリンダ５４は左右一対備えられていて、左右で同時作動するように、図示しない油圧制御回路に配備されている。
【００２８】
〔ローダンプ型式の集草装置に関して〕
ローダンプ式の集草装置５を備える乗用型草刈機では、図３，４、及び図１２，１３に示すローダンプ用ロプス３５を備えている。
ローダンプ用ロプス３５は、図４及び図１０に示すように前後方向視で門形に形成され、機体フレーム１０の後端部に一体に備えた左右一対のロプスベース６に取り付けられている。
ローダンプ用のロプス３５は、ロプスベース６のうち、板状ベース部６０の横外方側へ向けて延出された角筒状の横張出し部６１に対して、左右両側における柱状脚部３５ａ，３５ａの下端部が連結固定されている。左右の柱状脚部３５ａ，３５ａの上端部側は門形の上部枠３５ｂで連結され、運転座席３３の上方側を覆う状態に設けられている。
【００２９】
左右両側の柱状脚部３５ａ，３５ａにおける上下方向での中間部は、その中間部に相当する高さ位置で左右の柱状脚部３５ａ，３５ａ同士を連結するように設けた中間連結材３５ｃで一体的に連結固定されている。
そして、中間連結材３５ｃが、図９に示すように、ローダンプ用の集草容器５０Ｌを支持するための支持枠５５を介して、ロプスベース６の板状ベース部６０に連結されている。これによって、ローダンプ用ロプス３５は、柱状脚部３５ａ，３５ａの下端部（連結部に相当する）と、中間連結材３５ｃを備えた位置の中間部と、がロプスベース６に支持された状態となる。
中間連結材３５ｃは、ローダンプ用ロプス３５の柱状脚部３５ａ，３５ａよりも機体内方側に位置する板状ベース部６０に連結される。したがって、この中間連結材３５ｃと板状ベース部６０との連結箇所が、ローダンプ用ロプス３５の下端部におけるロプスベース６への連結部よりも機体左右方向での内方側位置でロプスベース６へ連結可能な別の連結部に相当する。
【００３０】
ローダンプ式の集草装置５は、図１０乃至図１３に示されるように、刈草を収容するローダンプ用の集草容器５０Ｌと、その集草容器５０Ｌを支持枠５５に対して、左右向きの横軸５６回りに揺動作動させて刈草排出が可能であるように操作する揺動駆動機構５７と、を備えている。
集草容器５０Ｌは、前面側が開放された箱状の容器本体５Ａと、その容器本体５Ａの前面側開放部を蓋する蓋状部５Ｂとを備え、蓋状部５Ｂが支持枠５５と一体に構成されている。
【００３１】
ローダンプ用の集草容器５０Ｌを支持するための支持枠５５は、図１０及び図１１に示すように、前後方向かつ上下方向に沿う面を備えた左右一対の板状片部５５ａ，５５ａを備えている。この板状片部５５ａ，５５ａは、後述するロプスベース６のうちの、機体フレーム１０の内面側に面接触する状態で取り付けられた板状ベース部６０に対して、さらに機体内方側から面接触する状態で取り付けられる。
また、板状片部５５ａ，５５ａは、ローダンプ用ロプス３５における柱状脚部３５ａ，３５ａの下端部が、ロプスベース６の横張出し部６１に連結された位置よりも、機体左右方向での内方側に位置している。したがって、支持枠５５は、ロプスベース６に対して、機体左右方向での内外に距離を隔てた状態で連結固定されることになる。
【００３２】
そして、左右の板状片部５５ａ，５５ａの後端縁部分には、図１１に示すように上下方向に沿う左右一対の縦フレーム５５ｂ，５５ｂが一体に溶接固定されている。この左右の縦フレーム５５ｂ，５５ｂの上部には、左右の柱状脚部３５ａ，３５ａ同士を連結する中間連結材３５ｃに対して連結固定可能な支え腕５５ｃ，５５ｃが、前方上方向きに延出されており、その支え腕５５ｃ，５５ｃの上端部に中間連結材３５ｃがボルト連結される。
また、左右の板状片部５５ａ，５５ａの上部は、前方側へ向けて延出され、その延出端部同士が上部連結材５５ｄで連結されている。
【００３３】
左右の縦フレーム５５ｂ，５５ｂの上端部が、左右の縦フレーム５５ｂ，５５ｂよりも横外方へ突出する横架部材５８で連結されている。横架部材５８の下側に、左右の縦フレーム５５ｂ，５５ｂの横外側に位置して、容器本体５Ａの前面側開放部と対向する状態で遮蔽板５９，５９が設けられている。この遮蔽板５９，５９及び横架部材５８が支持枠５５と組み合わされて、容器本体５Ａの前面側開放部を閉塞する蓋状部５Ｂが構成されている。
蓋状部５Ｂの左右方向での中央箇所には、モアー装置４側から送り込まれる刈草の、集草装置５への投入用開口５Ｃが形成されている。
【００３４】
横架部材５８には、容器本体５Ａの揺動支点となる横軸５６が回動可能に支持されている。横軸５６には、その横軸５６の両横端部から径方向に突出させて設けたブラケット（図示せず）を介して容器本体５Ａが連結されている。
横軸５６の左右方向中央部から径方向に突出する操作アーム５６ａに、油圧操作式の伸縮シリンダ５７ａの上端側が連結されている。伸縮シリンダ５７ａの下端側は、板状片部５５ａ，５５ａの上部に設けた上部連結材５５ｄに受け止め支持されている。
この構造により、伸縮シリンダ５７ａの伸縮作動に伴って、容器本体５Ａを横軸５６の軸心周りで揺動操作する揺動駆動機構５７が構成されている。
【００３５】
上記の揺動駆動機構５７を用いることにより、集草装置５は、機体フレーム１０に連結された蓋状部５Ｂに対して、左右向きの横軸５６回りに揺動作動する。つまり、図３に示すように、伸縮シリンダ５７ａを収縮させて容器本体５Ａを実線で示す状態にした下降集草位置（取付姿勢）と、伸縮シリンダ５７ａを伸長させて仮想線で示す状態にした上昇排出位置（離間姿勢）と、に揺動して姿勢変更される。
上記のように、ローダンプ用ロプス３５にローダンプ用の集草容器５０Ｌ、及び揺動駆動機構５７を組み込んだ状態のものを、図１２に示す取り外し状態から、図１３に示す装着状態に組上げることにより、ローダンプ用ロプス３５、及びローダンプ用の集草装置５を備えた乗用型草刈機が出来上がる。
【００３６】
〔ロプスベース〕
図５乃至図７に示すように、ロプスベース６は、機体フレーム１０に対して面接触するように板状に形成された左右一対の板状ベース部６０と、板状ベース部６０から横外方側へ延出された角筒状の横張出し部６１と、を備えている。
左右の横張出し部６１の延出端部には、それぞれ、ハイダンプ用ロプス３４における柱状脚部３４ａ，３４ａの下端部、及び、ローダンプ用ロプス３５における柱状脚部３５ａ，３５ａの下端部に対する共通のボルト連結用のボルト孔６１ａ（ロプス取付部に相当する）が形成されている。
【００３７】
板状ベース部６０には、機体フレーム１０の後端部に対するボルト連結用の複数の機体フレーム連結孔６０ａと、機体フレーム１０にフェンダ１５を取り付けるためのフェンダ取付パイプ１６の後端部がボルト連結されるフェンダ連結孔６０ｂと、が形成されている。
これにより、機体フレーム１０の後端部に形成されているボルト連結孔（図示せず）に機体フレーム連結孔６０ａを合致させてボルト連結することにより、板状ベース部６０が機体フレーム１０に固定された状態となる。そして、フェンダ取付パイプ１６の後端に形成されているボルト連結孔（図示せず）を、フェンダ連結孔６０ｂに合致させてボルト連結することにより、フェンダ取付パイプ１６が機体フレーム１０と板状ベース部６０とにわたって連結固定される。
【００３８】
さらに板状ベース部６０には、ハイダンプ用ロプス３４の中間連結材３４ｃと連結される連結ブラケット３６を連結固定するための連結孔６０ｃ（ロプス取付部に相当する）と、ローダンプ用ロプス３５における支持枠５５を連結固定するための取付孔６０ｄ（ロプス取付部に相当する）と、が形成されている。
この構造では、ハイダンプ用ロプス３４における連結ブラケット３６を連結固定するための連結孔６０ｃに、連結ブラケット３６の連結孔（図示せず）を合致させてボルト連結することにより、ハイダンプ用ロプス３４における柱状脚部３４ａ，３４ａの上下方向中間位置が、中間連結材３４ｃを介して板状ベース部６０に連結固定される。
【００３９】
この構造において、ローダンプ用ロプス３５を板状ベース部６０に連結固定する場合には、まず、支持枠５５における板状片部５５ａの機体外方側の面を板状ベース部６０の機体内方側の面に接触させる。その状態で、板状片部５５ａに形成されているボルト孔５５ｅを板状ベース部６０に形成した取付孔６０ｄに合致させてボルト連結することにより、支持枠５５が板状ベース部６０に連結固定される。
このとき、板状ベース部６０に形成された最上方位置の取付孔６０ｄは、ハイダンプ用ロプス３４における連結ブラケット３６を連結固定するための連結孔６０ｃのうち、最前方位置の連結孔６０ｃと同一位置にあり、その連結孔６０ｃによって兼用される。
そして、支持枠５５には、前方上方向きに支え腕５５ｃ，５５ｃが延出されているので、その支え腕５５ｃ，５５ｃの上端部に中間連結材３５ｃをボルト連結することができる。これにより、板状ベース部６０に対して支持枠５５及び中間連結材３５ｃを介して、左右の柱状脚部３５ａ，３５ａの上下方向中間位置も連結固定されることになる。
【００４０】
〔集草容器底面〕
集草装置５における集草容器５０Ｈ及び集草容器５０Ｌの底部分は、図１４及び図１５に示すように構成されている。
つまり、集草容器５０Ｈ及び集草容器５０Ｌの底部分は、刈取作業中における水平に近い状態の回収姿勢で、箱状の容器本体５Ａの底面に相当する部位であり、平板状の底板６２を備える。そして、底板６２の下面側に、前後方向に沿う断面Ｌ字状の縦桟６３及び左右方向に沿う断面Ｌ字状の横桟６４が設けられている。
【００４１】
このとき、縦桟６３と横桟６４は、夫々のＬ字状断面の一辺が底板６２の下面に当接する状態で、つまり、Ｌ字状断面の一辺が同一平面上に並ぶ状態で設けられている。そして、Ｌ字状断面のうち、底板６２の下面に当接していない他の一辺は、底板６２の下面に交差するように起立する姿勢に位置している。この状態で縦桟６３と横桟６４の交差部分が互いに溶接固定されて、全体として格子枠状に形成されている。
この格子枠状に形成された縦桟６３と横桟６４を、前記Ｌ字状断面の一辺が底板６２の下面に当接する状態でボルト連結することにより、底板６２と縦桟６３及び横桟６４によって、容器本体５Ａの底面が構成される。
【００４２】
このように、格子枠状に形成された縦桟６３と横桟６４が底板６２の下面に当接状態で固定されていることにより、底板６２対して縦桟６３及び横桟６４が隙間なく密着し易い。その結果、容器本体５Ａに投入された刈草の重量が作用する底板６２を、その重量の作用する鉛直方向に抗する下方側から縦桟６３及び横桟６４の両者で支えて効果的に補強することができる。
したがって、例えば、縦桟６３と横桟６４が交差部分で上下に重複した状態で格子枠状に形成された場合のように、縦桟６３又は横桟６４の一方だけが底板６２の下面に当接状態で固定され、他方の横桟６４又は縦桟６３が底板６２から離れて、底板６２に対する補強部材としての役割を果たせない状態となることを避けられる。
【００４３】
〔別実施形態の１〕
実施の形態では、ロプスベース６として、左右一対の板状ベース部６０と、板状ベース部６０から横外方側へ延出された角筒状の横張出し部６１と、を備えた構造のものを例示したが、必ずしもこの構造に限られるものではない。
例えば、左右の板状ベース部６０が、上部で一連に連なる門形などの適宜形状に形成されたものであってもよい。また、横張出し部６１をロプスベース６には備えずに、ハイダンプ用ロプス３４及びローダンプ用ロプス３５に備えさせたものであってもよい。
その他の構成は、前述した実施形態と同様の構成を採用すればよい。
【００４４】
〔別実施形態の２〕
実施の形態では、ローダンプ式の集草装置５に備える揺動駆動機構５７として、油圧操作式の伸縮シリンダ５７ａを備えた構造のものを例示したが、必ずしもこの構造に限られるものではない。
例えば、揺動駆動機構５７として、電動シリンダや、手動操作式のジャッキ機構を採用するものであったり、横軸５６を回動操作可能な長尺の操作レバーを取り付けるなどして、人為操作力によるレバー操作で揺動させるようにしたものであってもよい。
その他の構成は、前述した実施形態と同様の構成を採用すればよい。
【産業上の利用可能性】
【００４５】
本発明の乗用型草刈機は、大型機から小型機に至る各種の草刈機に適用可能である。
【符号の説明】
【００４６】
１                      走行機体
４                      モアー装置
６                      ロプスベース
３４                    ハイダンプ用ロプス
３４ｄ                  支持部
３５                    ローダンプ用ロプス
５０Ｈ                  集草容器
５０Ｌ                  集草容器
５３                    昇降用シリンダ
５５                    支持枠
６１ａ，６０ｃ，６０ｄ  ロプス取付部
【図１】
2020058288.tif 000003
【図２】
2020058288.tif 000004
【図３】
2020058288.tif 000005
【図４】
2020058288.tif 000006
【図５】
2020058288.tif 000007
【図６】
2020058288.tif 000008
【図７】
2020058288.tif 000009
【図８】
2020058288.tif 000010
【図９】
2020058288.tif 000011
【図１０】
2020058288.tif 000012
【図１１】
2020058288.tif 000013
【図１２】
2020058288.tif 000014
【図１３】
2020058288.tif 000015
【図１４】
2020058288.tif 000016
【図１５】
2020058288.tif 000017